(57)【要約】  高精度の人口分布を算出することができる人口分布集計装置を提供することを目的とする。  ユーザ端末２００の概略位置情報を用いて、予め定義された広域メッシュごとに位置するユーザ端末数を取得して広域メッシュデータを生成し、測位データ蓄積部１０２に記憶されている詳細位置情報を用いて、所定の位置情報取得パターンごとに、広域メッシュを所定の地理的分解能で分割した複数の狭域メッシュのそれぞれに位置するユーザ端末数を取得して狭域メッシュデータを生成する狭域メッシュグループ管理部１０８と、狭域メッシュデータと広域メッシュデータとに基づいて、位置情報取得パターンごとの狭域メッシュデータの信頼度を算出する信頼度評価部１０９と、信頼度に従って、狭域メッシュデータと広域メッシュデータとに基づいて、狭域メッシュの端末数を推計する人口分布推計部１１０と、を備える。
2020095480.tif 000002
【特許請求の範囲】
【請求項１】
複数のユーザ端末において測位された当該ユーザ端末の位置を示す位置情報を用いて、所定の位置情報取得パターンごとに、予め定義された広域エリアを所定の地理的分解能で分割した複数の狭域エリアのそれぞれに位置するユーザ端末数を取得して狭域エリアデータを生成する狭域エリアデータ生成部と、
前記広域エリアごとに位置するユーザ端末数を示す広域エリアデータと前記狭域エリアデータとに基づいて、前記位置情報取得パターンごとの前記狭域エリアデータの信頼度を算出する信頼度算出部と、
前記信頼度に従って、前記狭域エリアデータと前記広域エリアデータとに基づいて、前記狭域エリアの端末数を推計する人口推計部と、
を備える、
人口分布集計装置。
【請求項２】
前記位置情報取得パターンは、前記複数のユーザ端末の位置情報の属性を示す属性情報に基づく、請求項１に記載の人口分布集計装置。
【請求項３】
前記属性情報は、測位種別および端末種別の少なくともいずれか一方を含む、請求項２に記載の人口分布集計装置。
【請求項４】
前記狭域エリアデータ生成部は、
前記位置情報取得パターンに基づいて、前記位置情報を複数のグループにグループ化し、それぞれのグループごとに、狭域エリアごとの位置情報数を集計した狭域エリアデータを生成し、
前記信頼度算出部は、
前記グループごとに生成された前記狭域エリアデータのうち所定条件を満たす狭域エリアデータに基づいた評価用狭域エリアデータと前記広域エリアデータとに基づいて、前記狭域エリアデータの信頼度を算出する、
請求項１〜３のいずれか一項に記載の人口分布集計装置。
【請求項５】
前記信頼度算出部は、前記評価用狭域エリアデータと前記広域エリアデータとの間の一致の度合いを判断することにより、前記所定条件を満たす狭域エリアデータの信頼度を算出する、請求項４に記載の人口分布集計装置。
【請求項６】
前記信頼度算出部は、
グループごとに生成された複数の狭域エリアデータに基づいて、相互に一致の程度の高い複数の狭域エリアデータを選択し、当該複数の狭域エリアデータを合成して前記評価用狭域エリアデータを生成する、請求項４または５に記載の人口分布集計装置。
【請求項７】
前記信頼度算出部により算出された信頼度が所定条件を満たさない場合には、前記狭域エリアデータ生成部は、分割単位を示す地理的分解能、および集計時間単位である時間的分解能の少なくともいずれか一方を変えて、再度、前記狭域エリアデータを生成する、
請求項１〜６のいずれか一項に記載の人口分布集計装置。
【請求項８】
前記狭域エリアデータは、ユーザ端末において測位される方法に基づいて生成され、
前記広域エリアデータは、ネットワーク側において測位される方法に基づいて生成される、
請求項１〜７のいずれか一項に記載の人口分布集計装置。
【発明の詳細な説明】
【技術分野】
【０００１】
本発明は、ユーザ端末の位置情報を集計する人口分布集計装置に関する。
【背景技術】
【０００２】
下記特許文献１には、携帯端末を携帯するユーザの人口分布を解析して、ターゲット地域の人口分布を解析することが記載されている。
【先行技術文献】
【特許文献】
【０００３】
【特許文献１】特開２００３−３０３７３号公報
【発明の概要】
【発明が解決しようとする課題】
【０００４】
しかしながら、特許文献１においては、統計的信頼度を確保しつつ地理的分解能の高い人口分布を算出することはできない。すなわち、特許文献１に記載の技術では、ユーザ端末自体およびその測位手段による位置測位の特性を考慮せずに、ユーザ端末の位置情報を集計しており、その統計的信頼度を損なう、という問題がある。【０００５】
そこで、上述の問題を解決するために、本発明は、統計的信頼度を保ち地理的分解能の高い人口分布を算出することができる人口分布集計装置を提供することを目的とする。
【課題を解決するための手段】
【０００６】
本発明の人口分布集計装置は、複数のユーザ端末において測位された当該ユーザ端末の位置を示す位置情報を用いて、所定の位置情報取得パターンごとに、予め定義された広域エリアを所定の地理的分解能で分割した複数の狭域エリアのそれぞれに位置するユーザ端末数を取得して狭域エリアデータを生成する狭域エリアデータ生成部と、前記広域エリアごとに位置するユーザ端末数を示す広域エリアデータと前記狭域エリアデータとに基づいて、前記位置情報取得パターンごとの前記狭域エリアデータの信頼度を算出する信頼度算出部と、前記信頼度に従って、前記狭域エリアデータと前記広域エリアデータとに基づいて、前記狭域エリアの端末数を推計する人口推計部と、を備える。【０００７】
この構成により、所定の位置情報取得パターンごとに狭域メッシュデータを生成し、それに基づいた狭域メッシュデータと広域メッシュデータとに基づいて狭域メッシュデータの信頼度の評価を行うことができる。従って、より統計的信頼度の高い狭域メッシュデータを選択することができ、それを用いた狭域メッシュの人口分布を高精度で推計することができる。
【発明の効果】
【０００８】
本発明によると、統計的信頼をもった地理的分解能の高い人口分布を算出することができる。
【図面の簡単な説明】
【０００９】
【図１】本実施形態の人口分布集計装置１００を含んだ通信システムのシステム構成を示す図である。
【図２】人口分布集計装置１００の機能構成を示すブロック図である。
【図３】ユーザ端末２００により測位された端末測位データおよびネットワークにおいて測位された概略測位データの具体例を示す図である。
【図４】地理的分解能および時間的分解能を、分解能ＩＤと対応付けた管理テーブルの具体例を示す図である。
【図５】狭域メッシュグループ管理テーブルの具体例を示す図である。
【図６】狭域メッシュデータ管理テーブルおよび広域メッシュ管理テーブルの具体例を示す図である。
【図７】狭域メッシュデータおよび広域メッシュデータを模式的に示した模式図である。
【図８】評価用広域メッシュデータの算出過程およびその評価について説明する図である。
【図９】人口分布集計装置１００の動作を示すフローチャートである。
【図１０】人口分布集計装置１００の動作を示すフローチャートである。
【図１１】本開示の一実施の形態に係る人口分布集計装置１００のハードウェア構成の一例を示す図である。
【発明を実施するための形態】
【００１０】
添付図面を参照しながら本開示の一実施形態を説明する。可能な場合には、同一の部分には同一の符号を付して、重複する説明を省略する。
【００１１】
図１は、本開示の一実施形態の人口分布集計装置１００を含んだ通信システムのシステム構成を示す図である。図１に示されるとおり、人口分布集計装置１００、ユーザ端末２００、基地局２５０、および位置情報サーバ３００を含んで構成されている。ユーザ端末２００は、例えば、移動体通信網を使った通信を行う携帯電話、またはスマートフォンである。ユーザ端末２００は、基地局２５０と無線通信を行い、ネットワークを介してインターネットまたはその他の通信端末と通信を行う。
【００１２】
位置情報サーバ３００は、ユーザ端末２００の位置管理を行うサーバである。この位置情報サーバ３００は、ユーザ端末２００が加入している移動体通信網の通信事業者が所有するサーバであり、ユーザ端末２００の位置管理を行うサーバである。位置情報サーバ３００は、基地局２５０におけるユーザ端末２００が在圏する概略位置を取得し、記憶する。
【００１３】
また、ユーザ端末２００は、ＧＰＳ測位を行うことにより高精度の位置情報を取得し、人口分布集計装置１００または位置情報サーバ３００に送信する。
【００１４】
人口分布集計装置１００は、位置情報サーバ３００が記憶している各ユーザ端末２００の概略位置情報およびユーザ端末２００がＧＰＳ測位した精細位置情報に基づいて、狭域メッシュおよび広域メッシュにおける人口分布を算出する。
【００１５】
つぎに、人口分布集計装置１００の機能構成について説明する。図２は、人口分布集計装置１００の機能構成を示すブロック図である。図２に示されるとおり、人口分布集計装置１００は、測位データ取得部１０１（第１位置情報取得部、第２位置情報取得部）、測位データ蓄積部１０２（位置情報記憶部）、広域メッシュ生成部１０３、狭域メッシュ生成部１０４、地理的分解能指定部１０５、時間的分解能指定部１０６、分解能管理テーブル１０７、狭域メッシュグループ管理部１０８（広域エリアデータ生成部、狭域エリアデータ生成部）、狭域メッシュグループ管理テーブル１０８ａ、狭域メッシュデータ管理テーブル１０８ｂ、広域メッシュデータ管理テーブル１０８ｃ、信頼度評価部１０９（信頼度算出部）、および人口分布推計部１１０（人口推計部）を含んで構成されている。また、この人口分布集計装置１００と通信するユーザ端末２００は、端末測位部２０１、測位データ蓄積部２０２、および送信部２０３を含んで構成されている。以下、人口分布集計装置１００について説明する。
【００１６】
測位データ取得部１０１は、ユーザ端末２００が在圏している基地局２５０と通信することにより得られるユーザ端末のユーザ端末２００の概略位置情報（第２位置情報）を取得する部分である。なお、ユーザの位置情報は、その通信によって、当該基地局２５０の位置情報または当該基地局２５０が形成するセルの中心位置を、ユーザ端末２００の概略位置情報（第２位置情報）としてもよい。それ以外においても、ネットワーク内において概略的にユーザ端末２００の位置情報を取得することができる。この概略位置情報は、位置情報サーバ３００に記憶されている情報であり、測位データ取得部１０１は、この位置情報サーバ３００から概略位置情報を取得する。また、測位データ取得部１０１は、ユーザ端末２００から送信されるＧＰＳ位置情報など詳細位置情報を取得する。
【００１７】
測位データ蓄積部１０２は、測位データ取得部１０１が取得した概略位置情報またはユーザ端末２００から送信されたＧＰＳ位置情報（詳細位置情報（第１位置情報））を含む測位データを記憶する部分である。
【００１８】
図３（ａ）は、その測位データのうちユーザ端末２００において取得された測位データ（端末測位データ）の具体例を示す図である。図に示される通り、測位データは、タイムスタンプ、ユーザＩＤ、座標情報（緯度、経度）、および測位データの属性情報（当該ユーザ端末のＯＳ、ＯＳバージョン、測位アプリケーション名、そのバージョン情報、ユーザ端末の機種名、測位種別、測位精度）を対応付けている。測位データの属性情報をキーにして、測位データを絞り込むことを可能にしている。
【００１９】
図３（ｂ）は、測位データのうち測位データ取得部１０１により取得された測位データ（概略測位データ）の具体例を示す図である。図に示される通り、測位データは、タイムスタンプ、ユーザＩＤ、座標情報（緯度、経度）を対応付けている。
【００２０】
広域メッシュ生成部１０３は、所定の広域分割パターンで地図情報を分割して、複数の広域メッシュ（広域エリア）を生成する部分である。
【００２１】
狭域メッシュ生成部１０４は、広域メッシュ生成部１０３が生成した広域メッシュをさらに所定の狭域分割パターンで分割して、狭域メッシュ（狭域エリア）を生成する部分である。この狭域分割パターンは、後述する地理的分解能に基づいて定義される。
【００２２】
地理的分解能指定部１０５は、狭域メッシュ生成部１０４の狭域分割パターンの大きさ（分解能）を指定する部分である。例えば、狭域メッシュを１００ｍ×１００ｍの分割パターンで分割するなどを指定する。この指定はユーザ操作により行われる。
【００２３】
時間的分解能指定部１０６は、狭域メッシュグループ管理部１０８において、位置情報の時間的な集計単位の粒度を指定する部分である。例えば、時間的分解能指定部１０６は、１時間単位の位置情報の数、または１日単位の位置情報の数など、位置情報の数（すなわち端末数）を集計するための時間単位の粒度を指定する。この粒度は、分解能管理テーブル１０７に定義された時間的分解能に基づいて設定される。
【００２４】
分解能管理テーブル１０７は、地理的分解能および時間的分解能を、分解能ＩＤと対応付けて記述する部分である。この分解能管理テーブル１０７は、地理的分解能指定部１０５および時間的分解能指定部１０６が地理的または時間的分解能を指定する際に参照される。図４は、その管理テーブルの具体例である。例えば、分解能ＩＤ００００００００１には、時間的分解能として１ヵ月、地理的分解能として１００ｍが定義されている。この地理的分解能は、狭域メッシュのサイズを示し、後述する狭域メッシュグループを生成する際において、１００ｍ×１００ｍを分割パターンとして狭域メッシュが生成される。また、この時間的分解能は、位置情報の数（端末数）の取得時間単位を１ヵ月単位とすることを示す。オペレータは、この管理テーブルを参照して、分解能ＩＤを指定することで、地理的分解能および時間的分解能を指定することができる。
【００２５】
狭域メッシュグループ管理部１０８は、広域メッシュ生成部１０３、狭域メッシュ生成部１０４、地理的分解能指定部１０５、時間的分解能指定部１０６、および測位データ蓄積部１０２のそれぞれからの出力に基づいて、広域メッシュ単位おける高精細人口分布を算出するために、その前処理となる狭域メッシュグループおよびその狭域メッシュデータを生成する部分である。ここで、狭域メッシュデータは、各狭域メッシュにおけるユーザ端末数（位置情報数に相当）を示す。狭域メッシュグループは、測位データの属性情報に基づいて定められる。
【００２６】
例えば、狭域メッシュグループ管理部１０８は、測位データ蓄積部１０２から測位データを取得し、ＯＳ種別および／または測位種別に基づいて、グループ化する。
【００２７】
図５は、狭域メッシュグループを記述する狭域メッシュグループ管理テーブル１０８ａの具体例を示す。図に示されるとおり、狭域メッシュグループＩＤごとに、ＯＳ種別および測位種別の組合せに対応付けて、狭域メッシュグループＩＤが割り振られている。
【００２８】
狭域メッシュグループ管理部１０８は、グループ化した単位で、その測位データのレコード数を集計することにより、狭域メッシュごとの狭域メッシュデータを算出する。
【００２９】
図６（ａ）は、狭域メッシュデータを記述する狭域メッシュデータ管理テーブル１０８ｂの具体例を示す。図に示されるとおり、狭域メッシュデータは、狭域メッシュグループＩＤ、分解能ＩＤ、狭域メッシュＩＤ、およびユーザ端末数を対応付けたデータである。狭域メッシュグループ管理部１０８は、狭域メッシュグループごとにこれら情報を記憶している。
【００３０】
また、狭域メッシュグループ管理部１０８は、広域メッシュ単位で、その測位データのレコード数を集計することにより、広域メッシュごとの広域メッシュデータを算出する。
【００３１】
図６（ｂ）は、広域メッシュデータを記述する広域メッシュデータ管理テーブル１０８ｃの具体例を示す。図に示されるとおり、広域メッシュデータは、広域メッシュＩＤ、およびユーザ端末数を対応付けている。
【００３２】
信頼度評価部１０９は、狭域メッシュグループ管理部１０８で生成された狭域メッシュグループごとの狭域メッシュデータに対する評価を行う部分である。例えば、信頼度評価部１０９は、狭域メッシュグループにおける狭域メッシュデータに基づいて狭域メッシュグループ間の相関を算出することにより、狭域メッシュグループ管理部１０８で生成したどの狭域メッシュグループを採用するか決定する。さらに、採用した一または複数の狭域メッシュグループに基づいた狭域メッシュデータと、広域メッシュにおける広域メッシュデータと、の相関係数を算出することにより、狭域メッシュグループの評価を行う。広域メッシュデータとの相関係数が高いほど、その評価は高いとする。
【００３３】
人口分布推計部１１０は、当該狭域メッシュデータを用いて、狭域メッシュ単位ごとの端末数比を算出し、広域メッシュ単位の広域メッシュデータを、狭域メッシュの端末数比に適用することにより、狭域メッシュ単位における人口分布を算出する。
【００３４】
つぎに、信頼度評価部１０９における信頼度評価の具体例について説明する。図７は、ある領域を、３×３の広域分割パターンで分割した広域メッシュをさらに、２×２の狭域分割パターンで分割した狭域メッシュにおける狭域メッシュデータの具体例を示す。すなわち、ある領域を６×６の狭域分割パターンで分割した狭域メッシュごとの端末数を示す模式図である。
【００３５】
図７（ａ）は、ＯＳ種別がＡであり、測位種別がＧＰＳで端末数を狭域メッシュ単位で集計した狭域メッシュデータを示すグループ１を示す。図７（ｂ）は、ＯＳ種別がＡであり、測位種別がＷｉ−Ｆｉで端末数を狭域メッシュ単位で集計した狭域メッシュデータを示すグループ２を示す。図７（ｃ）は、ＯＳ種別がＢであり、測位種別がＧＰＳで端末数を狭域メッシュ単位で集計した狭域メッシュデータを示すグループ３を示す。図７（ｄ）は、ＯＳ種別がＢであり、測位種別がＷＩＦＩで端末数を狭域メッシュ単位で集計した狭域メッシュデータを示すグループ３を示す。図７（ｅ）は、測位データ取得部１０１が取得したネットワーク測位データに基づいた端末数を広域メッシュ単位で集計した広域メッシュデータを示す模式図である。
【００３６】
これを用いて、狭域メッシュグループに対する信頼度評価の算出方法について説明する。
【００３７】
まず、信頼度評価部１０９は、図７（ａ）〜図７（ｄ）に示される各狭域メッシュグループ同士の狭域メッシュデータの相関係数を算出する。信頼度評価部１０９は、所定の閾値以上の相関係数である狭域メッシュグループを選択する。この相関係数は、例えば、コサイン類似度など公知の計算手法を用いて算出される。本実施形態においては、図７（ａ）〜図７（ｃ）に示される狭域メッシュグループが、相互に狭域メッシュデータの相関が高いと判断され、図７（ｄ）に示される狭域メッシュが、他の狭域メッシュデータとの相関が低いと判断される。
【００３８】
相関係数が閾値以上となる狭域メッシュグループ同士が複数セットあり、それぞれのセットにおける狭域メッシュグループ同士は相関がない場合があり得る。例えば、グループＡ〜Ｄがあったとして、グループＡとＢは相関があり、グループＣとＤは相関があるが、グループＡとＣとは相関がないなど、他のグループ間では相関がない場合である。この場合には、サンプル数を増やすために、狭域メッシュデータにおけるユーザ端末数が多いグループを採用とするのがよい。すなわち、グループＡとＢの全メッシュにおけるユーザ端末数と、グループＣとＤの全メッシュにおけるユーザ端末数を比較し、多い方のグループを採用する。
【００３９】
より具体的にグループ間の相関の有無の判断を説明すると、以下の通りとなる。
【００４０】
グループＡと相関があるグループ：Ｂ
グループＢと相関があるグループ：Ａ
グループＣと相関があるグループ：Ｄ
グループＤと相関があるグループ：Ｃ
グループＡと相関がないグループ：Ｃ、Ｄ
グループＢと相関がないグループ：Ｃ、Ｄ
グループＣと相関がないグループ：Ａ、Ｂ
グループＤと相関がないグループ：Ａ、Ｂ
このように相関関係が把握されることにより、グループＡ、Ｂと、グループＣ、Ｄとが異なる相関セットにあることが把握できる。そして、上述したとおり、ユーザ端末数をより多く含んでいる相関セットのグループを採用するのがよい。
【００４１】
なお、グループ間の相関に基づいて判断することにかえて、グループ間の同一位置におけるメッシュ同士のユーザ端末数の比率に基づいて判断してもよい。すなわち、信頼度評価部１０９は、グループ間において狭域メッシュデータの各メッシュの比率を算出し、その分散を算出する。例えば、図７におけるグループ１の狭域メッシュデータをグループ２の狭域メッシュデータで、各メッシュ単位で除算する。これによって、まずは、それぞれメッシュ単位で比率が算出される。そして、この比率の分散を算出する。この分散が所定の閾値以下である場合には、そのグループを採用する。これによって、評価のためのグループを選択することができる。なお、分散が閾値以下ということは、その一致の程度が同じであることを示し、相関分析と同じ観点から分析したものである。
【００４２】
分散が所定値以下のグループ同士が複数セットあった場合には、上記同様、ユーザ端末数の多いグループ同士を採用する。
【００４３】
また、これらにかえて、事前に測位データの属性情報に優先度を与えておき、複数のグループが選択された場合、その上位のものを採用してもよい。例えばグループＡとＢ、グループＣとＤが、それぞれ相関が高いと判断された場合、グループＡが、その測位データの属性情報の優先度が高いと設定されていた場合には、グループＡとＢを採用する。
【００４４】
つぎに、信頼度評価部１０９は、各狭域グループのそれぞれを合計した評価用狭域メッシュデータと、広域メッシュデータとの相関係数を算出する。図８は、その算出処理を示す模式図である。図８（ａ）〜図８（ｃ）は、相関が高いと判断された狭域メッシュグループを示す。図８（ｄ）は、評価用狭域メッシュデータを示す。この評価用狭域メッシュデータは、相関が高いと判断された各狭域メッシュグループの狭域メッシュデータを、その位置を同じにする狭域メッシュごとに集計したデータである。
【００４５】
例えば、図８（ｄ）における狭域メッシュｐの狭域メッシュデータは、図８（ａ）〜図８（ｃ）における、位置を同じにする狭域メッシュｐ１〜ｐ３の狭域メッシュデータを合計した合計値である。他の狭域メッシュデータも同様である。
【００４６】
図８（ｅ）は、評価用広域メッシュデータを示す模式図である。評価用広域メッシュデータは、評価用狭域メッシュデータに基づいて生成される。評価用広域メッシュデータとは、広域メッシュ単位に、評価用狭域メッシュデータを集計したものである。
【００４７】
例えば、図８（ｅ）における広域メッシュｔの評価用広域メッシュデータは、図８（ｄ）における狭域メッシュｐ、ｑ、ｒ、ｓで示される狭域メッシュデータの合計値として算出される。
【００４８】
図８（ｆ）は、測位データ取得部１０１で取得されたネットワーク測位データに基づいた広域メッシュデータを示す。この広域メッシュデータは、ユーザ端末２００が通信することにより得られる位置情報に基づいたものであり、その母集団は、一般的に上述したＧＰＳ測位した位置情報などの数よりも大きい。
【００４９】
つぎに、信頼度評価部１０９は、評価用広域メッシュデータ（図８（ｅ））と、測位データ取得部１０１で取得されたネットワーク測位データに基づいた広域メッシュデータ（図８（ｆ））との相関を算出する。相関係数の算出処理は、上述と同様にコサイン類似度を用いて行われる。信頼度評価部１０９は、この相関係数（コサイン類似度）が、所定の閾値以上であるか否かに基づいて、評価用狭域メッシュデータを採用するか否かを判断する。すなわち相関係数が所定以上であれば、その評価用狭域メッシュデータのユーザ端末数を採用し、所定値未満であれば、採用せず、つぎの異なる狭域メッシュデータを取得する。異なる狭域メッシュデータとは、地理的分解能を変え（その分割パターンをさらに細かくする）、または時間的分解能を変えて（集計時間単位を変える）取得された狭域メッシュデータである。
【００５０】
このようにして、信頼度評価部１０９は、生成された狭域メッシュグループから必要な狭域メッシュグループを選択し、その狭域メッシュグループの狭域メッシュデータに基づいて評価用狭域メッシュデータを生成し、この評価用狭域メッシュデータに基づいて評価用広域メッシュデータを生成し、狭域メッシュデータの評価を行う。これによって、統計的信頼度を向上させた狭域メッシュデータを得ることができる。
【００５１】
なお、相関係数に基づいた処理に代えて、評価用広域メッシュデータと、広域メッシュデータとの間で、各広域メッシュ単位で比率を算出し、その分散が所定値以下である場合には、評価用狭域メッシュデータを採用するか否かを判断してもよい。
【００５２】
つぎに、ユーザ端末２００について説明する。ユーザ端末２００は、端末測位部２０１、測位データ蓄積部２０２、および送信部２０３を含む。
【００５３】
端末測位部２０１は、ユーザ端末２００の位置を測位する部分であり、例えば、ＧＰＳ測位により座標情報（位置情報）を取得する。そのほか、ＷＩＦＩにより測位する方法、ビーコンにより測位する方法などがある。
【００５４】
測位データ蓄積部２０２は、端末測位部２０１が測位した位置情報を含む測位データを記憶する部分である。測位データは、図３（ａ）に示される項目と同じである。
【００５５】
送信部２０３は、測位データを人口分布集計装置１００に送信する部分である。
【００５６】
このように構成された人口分布集計装置１００において、その動作について説明する。図９および図１０は、人口分布集計装置１００の動作を示すフローチャートである。事前に、オペレータは、地理的分解能指定部１０５および時間的分解能指定部１０６を操作することにより、狭域メッシュの地理的分解能および時間的分解能を指定する（Ｓ１０１、Ｓ１０２）。
【００５７】
狭域メッシュグループ管理部１０８は、端末測位データをその属性ごとに分類し、狭域メッシュグループを生成する（Ｓ１０３）。例えば、ＯＳ種別がＡ、測位種別がＧＰＳなどで分類して、当該ＯＳ種別等ごとに、地理的分解能で指定された分解能に従った狭域メッシュを示した狭域メッシュグループを生成する。
【００５８】
狭域メッシュグループ管理部１０８は、各狭域メッシュグループにおける狭域メッシュごとの端末数を集計し、狭域メッシュデータを生成する（Ｓ１０４）。
【００５９】
狭域メッシュグループ管理部１０８は、各狭域メッシュグループ間の相関分析を行い、相関係数を算出することで各狭域メッシュグループの信頼度を評価する（Ｓ１０５）。
【００６０】
狭域メッシュグループ管理部１０８は、その相関係数が所定の閾値以上であるか否かを判断する（Ｓ１０６）。その相関係数が、所定の閾値以上であると判断されると、その評価対象となる狭域メッシュグループの狭域メッシュデータを採用する（Ｓ１０７）。その相関係数が、所定の閾値未満であると判断されると、その評価対象となる狭域メッシュグループの狭域メッシュデータを採用しない（Ｓ１０８）。これをすべてのグループの組合せについて繰り返し行い、相関係数の算出を行う（Ｓ１０９）。なお、上述したとおり相関係数に基づいた判断に変えて、各メッシュ単位の比率の分散に基づいて狭域メッシュデータの採用の有無を判断してもよい。
【００６１】
引き続き、図１０に基づいて、その動作を説明する。狭域メッシュグループ管理部１０８は、採用した狭域メッシュデータを取得し（Ｓ１１０）、それら狭域メッシュデータから評価用広域メッシュデータを生成する（Ｓ１１１）。
【００６２】
一方で、狭域メッシュグループ管理部１０８は、測位データ取得部１０１が取得したネットワーク測位データを測位データ蓄積部１０２から取得して、広域メッシュデータを生成する（Ｓ１１２）。
【００６３】
そして、信頼度評価部１０９は、評価用広域メッシュデータと広域メッシュデータとの間の相関分析を行い、信頼度評価を行う（Ｓ１１３）。信頼度評価部１０９は、算出した相関係数が閾値以上であるか否かを判断し（Ｓ１１４）、相関係数が閾値以上であれば、評価用広域メッシュデータの元データである狭域メッシュデータを採用し（Ｓ１１５）、相関係数が閾値未満であれば、狭域メッシュデータを採用しない（Ｓ１１６）。なお、上述したとおり相関係数に基づいた判断に変えて、各広域メッシュ単位の比率の分散に基づいて評価用広域メッシュデータ（およびその元となる狭域メッシュデータ）の採用の有無を判断してもよい。
【００６４】
この処理により、指定された地理的分解能および時間的分解能で生成された狭域メッシュデータの採用の有無が判断される。採用できない場合には、再度、Ｓ１０１に戻り、異なる地理的分解能および時間的分解能を指定し、上記処理を繰り返し行う。なお、地理的分解能および時間的分解能については、最初は最小分解能で指定され、徐々にその分解能を大きくする方向で指定されるのがよい。
【００６５】
その後、人口分布推計部１１０は、採用した狭域メッシュデータの分布割合を、広域メッシュデータに適用して、狭域メッシュにおけるユーザ端末数（人口分布）を算出する。
【００６６】
この処理により、統計的信頼度を確保した人口分布を算出することができる。なお、上述処理は、ユーザ属性ごとに集計することもできる。すなわち、ユーザ属性として、事前に性別、年代（または年齢）、居住地、趣味嗜好を、ユーザＩＤに紐付けておき記憶しておき、狭域メッシュデータおよび広域メッシュデータを生成する際においては、それらユーザ属性ごとに集計することもできる。
【００６７】
つぎに、本実施形態の人口分布集計装置１００の作用効果について説明する。本実施形態の人口分布集計装置１００は、複数のユーザ端末２００においてＧＰＳなどの第１の方法に従って測位された当該ユーザ端末の位置を示す詳細位置情報を取得するとともに、ネットワークインフラによって測位法などの第２の方法により測位された複数のユーザ端末の概略位置情報を取得する測位データ取得部１０１と、ユーザ端末２００ごとの詳細位置情報および概略位置情報を記憶する測位データ蓄積部１０２と、測位データ蓄積部１０２に記憶されている概略位置情報を用いて、予め定義された広域メッシュごとに位置するユーザ端末数を取得して広域メッシュデータを生成し、測位データ蓄積部１０２に記憶されている詳細位置情報を用いて、所定の位置情報取得パターンごとに、広域メッシュを所定の地理的分解能で分割した複数の狭域メッシュのそれぞれに位置するユーザ端末数を取得して狭域メッシュデータを生成する狭域メッシュグループ管理部１０８と、狭域メッシュデータと広域メッシュデータとに基づいて、位置情報取得パターンごとの狭域メッシュデータの信頼度を算出する信頼度評価部１０９と、信頼度に従って、狭域メッシュデータと広域メッシュデータとに基づいて、狭域メッシュのユーザ端末数を推計する人口分布推計部１１０と、を備える。
【００６８】
この構成により、所定の位置情報取得パターンごとに狭域メッシュデータを生成し、それに基づいた狭域メッシュデータと広域メッシュデータとに基づいて狭域メッシュデータの信頼度の評価を行うことができる。従って、より信頼度の高い狭域メッシュデータを選択することができ、狭域メッシュの人口分布を推計することができる。すなわち統計的信頼度の高い人口分布を算出することができる。
【００６９】
本実施形態においては、統計的信頼性を維持しつつ、地理的分解能の高い人口分布を算出することができる。。
【００７０】
また、測位データ蓄積部１０２は、詳細位置情報として前記ユーザ端末の位置情報に加えて、当該詳細位置情報の属性を示す属性情報を記憶し、位置情報取得パターンは、前記属性情報に基づくものとして、狭域エリアデータを生成する。この属性は、例えば、測位種別および端末種別とする。
【００７１】
一般的に、測位属性、例えば測位種別または端末種別によって、位置情報の位置の測位ずれは異なり、またその測位の状況、測位した時間によって、位置の測位ずれが異なる。本実施形態においては、測位種別または端末種別に応じた狭域メッシュデータを算出することで、位置の測位ずれが同じグループの測位データを選択することができる。従って、統計的信頼度を向上させることができる。
【００７２】
また、本実施形態の人口分布集計装置１００において、狭域メッシュグループ管理部１０８は、位置情報取得パターンに基づいて、詳細位置情報を複数のグループにグループ化し、それぞれのグループごとに、狭域エリアごとの詳細位置情報数を集計した狭域メッシュデータを生成する。信頼度評価部１０９は、グループごとに生成された狭域メッシュデータのうち所定条件を満たす狭域メッシュデータに基づいた評価用狭域メッシュデータと広域メッシュデータとに基づいて、狭域メッシュデータの信頼度を算出する。
【００７３】
この構成により、グループ間で所定条件を満たす（例えば相関の高い）狭域メッシュデータを合成などして評価用メッシュデータを生成し、これに基づいて狭域メッシュデータの信頼度を評価することができる。したがって、相関が高いなど所定条件を満たす狭域メッシュデータを用いその母集団を大きくして評価をすることで、その信頼度の判断のための精度を向上させることができる。
【００７４】
また、人口分布集計装置１００において、信頼度評価部１０９は、評価用狭域メッシュデータと広域メッシュデータとの間の相関分析を行うことにより、相関係数が所定値より高いなど所定条件を満たす狭域メッシュデータの信頼度を算出する。
【００７５】
より具体的には、信頼度評価部１０９は、グループごとに生成された複数の狭域メッシュデータに基づいて、相互に相関の高い複数の狭域メッシュデータを選択し、当該複数の狭域メッシュデータを合成して前記評価用狭域エリアデータを生成する。
【００７６】
この構成により、評価用狭域メッシュデータと広域メッシュデータと関係が所定条件（相関が高い）を満たすか否かなど、その狭域メッシュデータの信頼度を算出することができる。したがって、より信頼度の高い狭域メッシュデータを選択でき、信頼度の高く高精度の人口分布を算出することができる。
【００７７】
また、人口分布集計装置１００において、信頼度評価部１０９により算出された信頼度が所定条件を満たさない場合には、狭域メッシュグループ管理部１０８は、分割単位を示す地理的分解能、および集計時間単位である時間的分解能の少なくともいずれか一方を変えて、再度、狭域メッシュデータを生成する。
【００７８】
この構成により、分解能を変えて、再度やり直すことができ、より適切な信頼度の高い狭域メッシュデータを生成することができる。細かい分解能から大きな分解能に変遷させることが効果的である。例えば、分解能を小さくしすぎると、ユーザ端末数が０となる狭域メッシュが出ることがある。そのような人口分布データを用いて統計処理を行おうとする場合、不適切となることがあり、適度に、人口分布がばらついていた方が、統計処理上都合がよいことがある。よって、分解能を大きくすることで、狭域メッシュ単位に０となる人口分布となることを防ぐことができる。なお、逆に、分解能を小さくする方向にすること都合がよい場合もある。
【００７９】
人口分布集計装置１００において、第１の方法は、ユーザ端末において測位される方法であり、記第２の方法は、ネットワーク側において測位される方法とする。一般的にユーザ端末で測位される方法は、その位置情報は詳細である。一方で、ネットワーク側で測位される方法は、位置情報は概略的であるが、その母数を多くとることができる。人口分布を算出する場合には、ネットワーク側で測位される方法で得た情報を用いることで、精度のよい人口分布を算出することができる。
【００８０】
上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【００８１】
機能には、判断、決定、判定、計算、算出、処理、導出、調査、探索、確認、受信、送信、出力、アクセス、解決、選択、選定、確立、比較、想定、期待、見做し、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。たとえば、送信を機能させる機能ブロック（構成部）は、送信部（transmitting  unit）や送信機（transmitter）と呼称される。いずれも、上述したとおり、実現方法は特に限定されない。
【００８２】
例えば、本開示の一実施の形態における人口分布集計装置１００は、本開示の人口分布集計方法の処理を行うコンピュータとして機能してもよい。図１１は、本開示の一実施の形態に係る人口分布集計装置１００のハードウェア構成の一例を示す図である。上述の人口分布集計装置１００は、物理的には、プロセッサ１００１、メモリ１００２、ストレージ１００３、通信装置１００４、入力装置１００５、出力装置１００６、バス１００７などを含むコンピュータ装置として構成されてもよい。
【００８３】
なお、以下の説明では、「装置」という文言は、回路、デバイス、ユニットなどに読み替えることができる。人口分布集計装置１００のハードウェア構成は、図に示した各装置を１つ又は複数含むように構成されてもよいし、一部の装置を含まずに構成されてもよい。
【００８４】
人口分布集計装置１００における各機能は、プロセッサ１００１、メモリ１００２などのハードウェア上に所定のソフトウェア（プログラム）を読み込ませることによって、プロセッサ１００１が演算を行い、通信装置１００４による通信を制御したり、メモリ１００２及びストレージ１００３におけるデータの読み出し及び書き込みの少なくとも一方を制御したりすることによって実現される。
【００８５】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述の広域メッシュ生成部１０３、狭域メッシュ生成部１０４、狭域メッシュグループ管理部１０８，信頼度評価部１０９，人口分布推計部１１０などは、プロセッサ１００１によって実現されてもよい。
【００８６】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施の形態において説明した動作の少なくとも一部をコンピュータに実行させるプログラムが用いられる。例えば、人口分布集計装置１００の狭域メッシュグループ管理部１０８、および信頼度評価部１０９などは、メモリ１００２に格納され、プロセッサ１００１において動作する制御プログラムによって実現されてもよく、他の機能ブロックについても同様に実現されてもよい。上述の各種処理は、１つのプロセッサ１００１によって実行される旨を説明してきたが、２以上のプロセッサ１００１により同時又は逐次に実行されてもよい。プロセッサ１００１は、１以上のチップによって実装されてもよい。なお、プログラムは、電気通信回線を介してネットワークから送信されても良い。
【００８７】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically  Erasable  Programmable  ＲＯＭ）、ＲＡＭ（Random  Access  Memory）などの少なくとも１つによって構成されてもよい。メモリ１００２は、レジスタ、キャッシュ、メインメモリ（主記憶装置）などと呼ばれてもよい。メモリ１００２は、本開示の一実施の形態に係る人口分布集計方法を実施するために実行可能なプログラム（プログラムコード）、ソフトウェアモジュールなどを保存することができる。
【００８８】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つによって構成されてもよい。ストレージ１００３は、補助記憶装置と呼ばれてもよい。上述の記憶媒体は、例えば、メモリ１００２及びストレージ１００３の少なくとも一方を含むデータベース、サーバその他の適切な媒体であってもよい。
【００８９】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の測位データを送受信する部分などは、通信装置１００４によって実現されてもよい。通信装置１００４は、物理的に、または論理的に分離された実装がなされてもよい。
【００９０】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００９１】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【００９２】
また、人口分布集計装置１００は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つを用いて実装されてもよい。
【００９３】
情報の通知は、本開示において説明した態様／実施形態に限られず、他の方法を用いて行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。
【００９４】
本開示において説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、ＮＲ（new  Radio）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切なシステムを利用するシステム及びこれらに基づいて拡張された次世代システムの少なくとも一つに適用されてもよい。また、複数のシステムが組み合わされて（例えば、ＬＴＥ及びＬＴＥ−Ａの少なくとも一方と５Ｇとの組み合わせ等）適用されてもよい。
【００９５】
本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【００９６】
本開示において基地局によって行われるとした特定動作は、場合によってはその上位ノード（upper  node）によって行われることもある。基地局を有する１つ又は複数のネットワークノード（network  nodes）からなるネットワークにおいて、端末との通信のために行われる様々な動作は、基地局及び基地局以外の他のネットワークノード（例えば、ＭＭＥ又はＳ−ＧＷなどが考えられるが、これらに限られない）の少なくとも１つによって行われ得ることは明らかである。上記において基地局以外の他のネットワークノードが１つである場合を例示したが、複数の他のネットワークノードの組み合わせ（例えば、ＭＭＥ及びＳ−ＧＷ）であってもよい。
【００９７】
情報等は、上位レイヤ（又は下位レイヤ）から下位レイヤ（又は上位レイヤ）へ出力され得る。複数のネットワークノードを介して入出力されてもよい。
【００９８】
入出力された情報等は特定の場所（例えば、メモリ）に保存されてもよいし、管理テーブルを用いて管理してもよい。入出力される情報等は、上書き、更新、又は追記され得る。出力された情報等は削除されてもよい。入力された情報等は他の装置へ送信されてもよい。
【００９９】
判定は、１ビットで表される値（０か１か）によって行われてもよいし、真偽値（Boolean：true又はfalse）によって行われてもよいし、数値の比較（例えば、所定の値との比較）によって行われてもよい。
【０１００】
本開示において説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１０１】
以上、本開示について詳細に説明したが、当業者にとっては、本開示が本開示中に説明した実施形態に限定されるものではないということは明らかである。本開示は、請求の範囲の記載により定まる本開示の趣旨及び範囲を逸脱することなく修正及び変更態様として実施することができる。したがって、本開示の記載は、例示説明を目的とするものであり、本開示に対して何ら制限的な意味を有するものではない。
【０１０２】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１０３】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０１０４】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１０５】
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。また、コンポーネントキャリア（ＣＣ：Component  Carrier）は、キャリア周波数、セル、周波数キャリアなどと呼ばれてもよい。
【０１０６】
本開示において使用する「システム」及び「ネットワーク」という用語は、互換的に使用される。
【０１０７】
また、本開示において説明した情報、パラメータなどは、絶対値を用いて表されてもよいし、所定の値からの相対値を用いて表されてもよいし、対応する別の情報を用いて表されてもよい。例えば、無線リソースはインデックスによって指示されるものであってもよい。
【０１０８】
上述したパラメータに使用する名称はいかなる点においても限定的な名称ではない。さらに、これらのパラメータを使用する数式等は、本開示で明示的に開示したものと異なる場合もある。様々なチャネル（例えば、ＰＵＣＣＨ、ＰＤＣＣＨなど）及び情報要素は、あらゆる好適な名称によって識別できるので、これらの様々なチャネル及び情報要素に割り当てている様々な名称は、いかなる点においても限定的な名称ではない。
【０１０９】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【０１１０】
本開示で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking  up、search、inquiry)（例えば、テーブル、データベース又は別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。また、「判断（決定）」は、「想定する（assuming）」、「期待する（expecting）」、「みなす（considering）」などで読み替えられてもよい。
【０１１１】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１１２】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素への参照は、２つの要素のみが採用され得ること、又は何らかの形で第１の要素が第２の要素に先行しなければならないことを意味しない。
【０１１３】
本開示において、「含む（include）」、「含んでいる（including）」及びそれらの変形が使用されている場合、これらの用語は、用語「備える（comprising）」と同様に、包括的であることが意図される。さらに、本開示において使用されている用語「又は（or）」は、排他的論理和ではないことが意図される。
【０１１４】
本開示において、例えば、英語でのa,  an及びtheのように、翻訳により冠詞が追加された場合、本開示は、これらの冠詞の後に続く名詞が複数形であることを含んでもよい。
【０１１５】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【符号の説明】
【０１１６】
１００…人口分布集計装置、１０１…測位データ取得部、１０２…測位データ蓄積部、１０３…広域メッシュ生成部、１０４…狭域メッシュ生成部、１０５…地理的分解能指定部、１０６…時間的分解能指定部、１０７…分解能管理テーブル、１０８…狭域メッシュグループ管理部、１０８ａ…狭域メッシュグループ管理テーブル、１０８ｂ…狭域メッシュデータ管理テーブル、１０８ｃ…広域メッシュデータ管理テーブル、１０９…信頼度評価部、１１０…人口分布推計部、２００…ユーザ端末、２０１…端末測位部、２０２…測位データ蓄積部、２０３…送信部、２５０…基地局、３００…位置情報サーバ。
【図１】
2020095480.tif 000003
【図２】
2020095480.tif 000004
【図３】
2020095480.tif 000005
【図４】
2020095480.tif 000006
【図５】
2020095480.tif 000007
【図６】
2020095480.tif 000008
【図７】
2020095480.tif 000009
【図８】
2020095480.tif 000010
【図９】
2020095480.tif 000011
【図１０】
2020095480.tif 000012
【図１１】
2020095480.tif 000013
【国際調査報告】
2020095480.tif 000014
2020095480.tif 000015